(57)【要約】【課題】カートリッジ式媒体を収納する媒体収納棚と媒体の記録／再生を行う記録再生装置とを内部に有したライブラリ装置に外部から装填され、ライブラリ装置との間で媒体の受け渡しがなされる媒体投入装置に関し、低コストで製造可能な媒体投入装置を実現する。【解決手段】媒体投入装置内の媒体収納棚は、ライブラリ装置内の媒体収納棚で用いられている棚板材と同一形状の棚板材で構成されている。棚板材３１，４１は、媒体投入装置へのねじ止め用インサートナットとライブラリ装置への掛止用フック３３，４３とが背面に設けられ、インサートナットを用いて、媒体投入装置の背部内壁面に設けた接続用ボスに取り付けられている。【選択図】　　　図１
2004039095.tif 000002
【特許請求の範囲】
【請求項１】
カートリッジ式媒体を収納する媒体収納棚と媒体の記録／再生を行う記録再生装置とを内部に有したライブラリ装置に外部から装填され、ライブラリ装置との間で媒体の受け渡しがなされる媒体投入装置であって、
媒体投入装置内の媒体収納棚が、前記ライブラリ装置内の媒体収納棚に用いられている棚板材と同一形状の棚板材で構成されている媒体投入装置。
【請求項２】
前記棚板材は、前記媒体投入装置へのねじ止め用インサートナットと前記ライブラリ装置への掛止用フックとが背面に設けられたものであることを特徴とする請求項１記載の媒体投入装置。
【発明の詳細な説明】
【０００１】
【発明の属する技術分野】
本発明は、カートリッジ式媒体を収納する媒体収納棚と媒体の記録／再生を行う記録再生装置とを内部に有したライブラリ装置に外部から装填され、ライブラリ装置との間で媒体の受け渡しがなされる媒体投入装置（通常、マガジンと呼ばれる）に関する。
【０００２】
【従来の技術】
ライブラリ装置の外観の一例を図８に示した。このライブラリ装置１は、カートリッジ式媒体を収納する媒体収納棚と媒体の記録／再生を行う記録再生装置とを内部に有している。また、外部から、媒体投入装置２を装填できるようになっている。このライブラリ装置１では、操作パネル３でもって、たとえば、ライブラリ装置１内の媒体収納棚や媒体投入装置２内の媒体収納棚の特定のセルに収納されている媒体を取り出して、記録再生装置にて記録／再生を行うことができる。また、特定の媒体を媒体投入装置２内に排出することができる。
【０００３】
ライブラリ装置１の内部には、図９に示すように、記録再生装置１１および媒体収納棚１２が、媒体投入装置２とともに、Ｕ字状に配置されている。そして、このＵ字状配列の内側に媒体把持機構（アクセッサ）１３が設置されている。記録再生装置１１，媒体収納棚１２および媒体投入装置２は、上下方向にも配設されており、これらにアクセスできるように、媒体把持機構１３は、図９の左右方向（Ｘ方向）に移動したり、水平面内で回転（Ｒ方向に回転）できるだけでなく、図示しないガイドに案内されて昇降できるように構成されている。なお、レール１５は、媒体把持機構１３のＸ方向の移動を確保するためのものである。
【０００４】
ライブラリ装置１では、小型化の要求から、内部に多くの媒体収納棚１２を備えることが求められており、図１０に示すように、記録再生装置１１の下部空間にも、媒体収納棚１２が配置されている。媒体投入装置２についても、複数の媒体を収納できる媒体収納棚が、小型化の要求を満たすように設けられている。
【０００５】
【発明が解決しようとする課題】
上記従来構成において、媒体投入装置内の媒体収納棚は、ライブラリ装置内の媒体収納棚とは異なる形状の棚板材が用いられており、双方の媒体収納棚で用いる棚板材の製造には、それぞれ専用のモールド用金型が使用されている。すなわち、従来構成においては、ライブラリ装置内の媒体収納棚の製造に際して使用する金型の他に、媒体投入装置内の媒体収納棚の製造に際して使用する専用の金型が必要になり、イニシャルコストが増大し、媒体投入装置のコストアップを招いていた。
【０００６】
本発明は上記問題を解決するためになされたもので、本発明の解決すべき課題は、低コストで製造可能な媒体投入装置を実現することである。
【０００７】
【課題を解決するための手段】
上記課題を解決する請求項１に係る発明は、カートリッジ式媒体を収納する媒体収納棚と媒体の記録／再生を行う記録再生装置とを内部に有したライブラリ装置に外部から装填され、ライブラリ装置との間で媒体の受け渡しがなされる媒体投入装置であって、媒体投入装置内の媒体収納棚が、前記ライブラリ装置内の媒体収納棚に用いられている棚板材と同一形状の棚板材で構成されていることを特徴とするものである。
【０００８】
この発明では、ライブラリ装置内の媒体収納棚に用いられている棚板材と同一形状の棚板材を用いて、媒体投入装置内の媒体収納棚を構成するため、媒体投入装置内の媒体収納棚の製造に従来必要であった専用の金型が不要になり、コストダウンを図れる。さらに、この発明では、棚板材だけの交換で、種々のサイズの媒体を扱うライブラリ装置に対応できる。よって、汎用性もあり、この点からも、コストダウンが図れる。
【０００９】
請求項２に係る発明は、請求項１において、媒体投入装置へのねじ止め用インサートナットとライブラリ装置への掛止用フックとが背面に設けられた棚板材を用いたことを特徴とするものでる。
【００１０】
この発明では、ライブラリ装置にはフックを用いて棚板材を掛止でき、媒体投入装置にはインサートナットを用いてねじ止めできるので、ライブラリ装置と媒体投入装置に共通に使用できる棚板材を簡単な構成で実現でき、媒体投入装置の一層のコストダウンにもつながる。
【００１１】
【実施の形態】
本発明の実施の形態例を図１〜図７を用いて説明する。特に図３に示すように、本形態例の本体枠２１の上面には、運搬用のグリップ２２が設けられ、背面にも、運搬用のグリップ２３が設けられている。グリップ２２は主に媒体投入装置を手に提げて運搬する場合に使用し、グリップ２３は、ライブラリ装置の装填口に本形態例を差し込む際に使用するものである。
【００１２】
本体枠２１の前部は、図４に示すように開口しており、本体枠２１内の空間の左右には、図１〜図２に示すように面対称の形状を有した一対の棚板材３１，４１が設けられている。この棚板材３１，４１は、媒体収納棚を形成するものであり、ライブラリ装置内の媒体収納棚に用いられている棚板材と同一形状を有している。棚板材３１，４１には、カートリッジ式媒体５１の下面左側，下面右側をそれぞれ支える棚３２，４２が設けられている。
【００１３】
ライブラリ装置内の媒体収納棚に用いられている棚板材の段数が５段であるため、この棚板材をそのまま棚板材３１，４１として用いている本形態例でも、当然、棚３２，４２が５段あり、左右の棚３２，４２を跨ぐような姿勢で、５個の媒体５１を収容できるようになっている。なお、棚３２，４２は多少上向きに傾斜している。
【００１４】
棚板材３１の背面の上部と下部には、下方を向いたフック３３が設けられ、各フック３３の基部には、背面側に向けて、円筒状の嵌合突起３４が形成されている。同様に、棚板材４１の背面の上部と下部にも、下方を向いたフック４３が設けられ、各フック４３の基部には、背面側に向けて、円筒状の嵌合突起４４が形成されている。
【００１５】
図５に示すように、本体枠２１の背部内壁面には、上側の嵌合突起３４，４４に対向する位置に、接続用ボス２５が突設され、下側の嵌合突起３４，４４に対向する位置に、接続用ボス２６が突設されている。接続用ボス２５には、嵌合突起３４，４４が嵌合する大径の穴２５ａと、小径の貫通穴２５ｂとが形成されている。一方、接続用ボス２６には、嵌合突起３４，４４に嵌合する大径の穴２６ａと、上下方向に延びた貫通長穴２６ｂとが形成されている。
【００１６】
上側の嵌合突起３４と接続用ボス２５は、図６に示すように、嵌合時には、接続用ボス２５の前端面が嵌合突起３４のベース面（段差面）に当接した状態にある。この図６に示したように、嵌合突起３４の内側近傍には、嵌合突起３４と同軸的に、インサートナット３５が埋め込まれている。このインサートナット３５には、止めねじ５２が、貫通穴２５ｂを通って締め付けられており、組立状態では、嵌合突起３４と接続用ボス２５との強固の嵌合状態が保たれている。
【００１７】
下側の嵌合突起３４と接続用ボス２６との嵌合は、止めねじ５２が貫通長穴２６ｂに通っている点を除き、上側の嵌合突起３４の場合と同様である。さらに、棚板材４１側の嵌合突起４４と接続用ボス２５，２６との嵌合も、棚板材３１の上側，下側の嵌合突起３４の場合と同様である。
【００１８】
上記の接続用ボス２５，２６の前端面と嵌合突起３４，４４のベース面との当接により、棚板材３１，４１の前後方向の位置決めが行え、嵌合突起３４，４４と接続用ボス２５，２６との嵌合により、棚板材３１，４１の後端部（奥側）の左右方向の位置決めを行えることになる。しかし、棚板材３１，４１の前端部の左右方向の移動を規制しないと、棚板材３１，４１の前端部が多少揺動することが考えられる。そこで、本形態例では、棚板材３１，４１の前端部に上方に向いた突起３７，４７（図１，２参照）が形成され、本体枠２１側に、突起３７，４７が摺接するガイド溝２７（図４，５参照）が前後方向に形成されている。
【００１９】
図４等に示した媒体飛び出し防止アーム２８は、本形態例の運搬時に、内部の媒体５１が飛び出すことを防止するもので、図示しないスプリングにより、媒体５１の飛び出しを当接により防止できる位置（図４や図３に示す位置）に付勢されている。媒体飛び出し防止アーム２８に図３において時計方向の外力を加えると、媒体飛び出し防止アーム２８は時計方向に９０°程度回転させることができ、媒体５１の取り出しや挿入が可能になる。
【００２０】
ライブラリ装置に本形態例を装填すると、ライブラリ装置内の突起等により、媒体飛び出し防止アーム２８が自動的に受け渡し可能位置まで押動される。そして、この装填状態の本形態例に対して、ライブラリ装置内の媒体把持機構は媒体を抜き取りにきたり、逆に、ライブラリ装置内の媒体を本形態例内に排出したりする。
【００２１】
上記形態例において、棚板材３１，４１のインサートナット３５は、上記の通り媒体投入装置（本体枠２１）へのねじ止め用のものであるが、フック３３，４３は、ライブラリ装置への掛止用のものである。ライブラリ装置での媒体収納棚は、棚板材３１，４１と同一形状のもので構成されている。この取り付けを図９を用いて説明する。図９中のたとえば支持プレート１６に、フック３３，４３が挿通可能な上下方向の長穴５３（図７参照）を、フック３３，４３に対応して穿設しておく。次に、フック３３，４３を長穴５３に挿通後、棚板材３１，４１を下方に押し下げる。これにより、棚板材３１，４１が支持プレート１６に掛止される（この場合、止めねじ５２は不要である）。
【００２２】
本形態例では、ライブラリ装置内の媒体収納棚に用いられている棚板材と同一形状の棚板材３１，４１を用いて、媒体投入装置内の媒体収納棚を構成するため、媒体投入装置内の媒体収納棚の製造に従来必要であった専用の金型が不要になり、コストダウンを図れる。
【００２３】
また、媒体５１のサイズによって棚板材３１，４１の寸法が異なるが、本形態例では、棚板材３１，４１の交換だけで、種々のサイズの媒体５１を扱うライブラリ装置に対応できる。よって、本体枠２１は、その形状を変更する必要がなく、汎用性もあり、この点からも、コストダウンを図れる。
【００２４】
しかも、本形態例において、ライブラリ装置にはフック３３，４３を用いて棚板材３１，４１を掛止でき、媒体投入装置にはインサートナット３５を用いてねじ止めできるので、ライブラリ装置と媒体投入装置に共通に使用できる棚板材３１，４１を簡単な構成で実現でき、媒体投入装置の一層のコストダウンを図れる。媒体投入装置は人手により運ばれるものであり、衝撃を受け易いが、ねじ止めであれば、棚板材３１，４１が脱落することはない。一方、ライブラリ装置は静止状態で使用され、脱落の可能性がないため、装着作業性を向上させるためにフック３３，４３を用いても、問題は生じない。
【００２５】
なお、本発明は上記形態例の構成に限られるものではない。たとえば、本発明は次のような形態例等をも含むものである。
▲１▼上記形態例では、フック３３，４３を棚板材３１，４１と一体成形した場合を示したが、別体で成形し、その後、フック３３，４３を棚板材３１，４１に結合するようにしてもよい。この場合、棚板材３１，４１を媒体投入装置に取り付けるときは、別体のフック３３，４３を用いなくてもよい。一方、棚板材３１，４１をライブラリ装置に取り付けるときは、別体のフック３３，４３を棚板材３１，４１にインサートナット３５等を利用して固着し、このフック３３，４３を用いて、棚板材３１，４１をライブラリ装置に取り付ける。
▲２▼嵌合突起３４，４４やインサートナット３５部分とは分離して、フック３３，４３を設けてもよい。
▲３▼ライブラリ装置には、段数の異なる複数の棚部材が用いられることがある。このような場合は、その何れかの棚部材を用いて媒体投入装置内の媒体収納棚を構成すればよい。
▲４▼媒体投入装置をライブラリ装置の一部と考えれば、本発明を、外部から請求項１または２記載の媒体投入装置が装填されたライブラリ装置として捉えることもできる。
【００２６】
【発明の効果】
以上説明したように、請求項１に係る発明によれば、ライブラリ装置内の媒体収納棚に用いられている棚板材と同一形状の棚板材を用いて、媒体投入装置内の媒体収納棚を構成するため、媒体投入装置内の媒体収納棚の製造に従来必要であった専用の金型が不要になり、コストダウンを図れる。
【００２７】
また、本発明では、棚板材だけの交換で、種々のサイズの媒体を扱うライブラリ装置に対応できる。よって、汎用性があり、この点からも、コストダウンが図れる。
【００２８】
請求項２に係る発明によれば、ライブラリ装置にはフックを用いて棚板材を掛止でき、媒体投入装置にはインサートナットを用いてねじ止めできるので、ライブラリ装置と媒体投入装置に共通に使用できる棚板材を簡単な構成で実現でき、媒体投入装置の一層のコストダウンにもつながる。
【図面の簡単な説明】
【図１】本発明の実施の形態例中の一対の棚板材を背面側から見た斜視図である。
【図２】図１に示した棚部材の側面図である。
【図３】背面側を左上方から見た本発明の実施の形態例を示す斜視図である。
【図４】正面側を右下方から見た本発明の実施の形態例を示す斜視図である。
【図５】棚板材を外した状態での本発明の実施の形態例を示す斜視図である。
【図６】媒体投入装置での棚板材の取り付け状態を示す断面図である。
【図７】ライブラリ装置での棚部材の取り付け状態を示す図である。
【図８】ライブラリ装置の外観図である。
【図９】ライブラリ装置内の平面的配置を示す概念図である。
【図１０】図８に示したライブラリ装置内の一部を示す図である。
【符号の説明】
１　　　　　　　ライブラリ装置
２　　　　　　　媒体投入装置
１１　　　　　　記録再生装置
１２　　　　　　媒体収納棚
１３　　　　　　媒体把持機構
１６　　　　　　支持プレート
２１　　　　　　本体枠
２２，２３　　　グリップ
２５，２６　　　接続用ボス
３１，４１　　　棚板材
３３，４３　　　フック
３５　　　　　　インサートナット
５１　　　　　　カートリッジ式媒体
【図１】
2004039095.tif 000003
【図２】
2004039095.tif 000004
【図３】
2004039095.tif 000005
【図４】
2004039095.tif 000006
【図５】
2004039095.tif 000007
【図６】
2004039095.tif 000008
【図７】
2004039095.tif 000009
【図８】
2004039095.tif 000010
【図９】
2004039095.tif 000011
【図１０】
2004039095.tif 000012